【手続補正書】
【提出日】平成17年8月5日(2005.8.5)
【手続補正１】
【補正対象書類名】明細書
【補正対象項目名】発明の名称
【補正方法】変更
【補正の内容】
【発明の名称】固体撮像素子、固体撮像装置及び固体撮像装置の製造方法
【手続補正２】
【補正対象書類名】明細書
【補正対象項目名】特許請求の範囲
【補正方法】変更
【補正の内容】
【特許請求の範囲】
【請求項１】
少なくとも撮像面が円筒面状に湾曲され、
電極パッドが湾曲されない方向に沿って配列されて成る
ことを特徴とする固体撮像素子。
【請求項２】
撮像面を有する撮像チップ全体が円筒面状に湾曲されて成る
ことを特徴とする請求項１記載の固体撮像素子。
【請求項３】
少なくとも撮像面が円筒面状に湾曲された固体撮像素子と、
前記固体撮像素子を収容したパッケージとを有し、
前記固体撮像素子の電極パッドが湾曲されない方向に沿って配列され、該電極パッドと前記パッケージ側の電極パッドとが電気的に接続されて成る
ことを特徴とする固体撮像装置。
【請求項４】
前記固体撮像素子を構成する撮像チップ全体が円筒面状に湾曲されて成る
ことを特徴とする請求項３記載の固体撮像装置。
【請求項５】
前記固体撮像素子側の電極パッドと前記パッケージ側の電極パッド間がワイヤーボンディングで接続されて成る
ことを特徴とする請求項３又は４記載の固体撮像装置。
【請求項６】
少なくとも撮像面が円筒面状に湾曲され、電極パッドが湾曲されない方向に沿って配列された固体撮像素子を有し、
前記電極パッドがＴＡＢボンディングで外部接続されて成る
ことを特徴とする固体撮像装置。
【請求項７】
前記固体撮像素子は、撮像面を有する撮像チップ全体が円筒面状に湾曲されて成る
ことを特徴とする請求項６記載の固体撮像装置。
【請求項８】
少なくとも撮像面が円筒面状に湾曲され、電極パッドが湾曲されない方向に沿って配列された固体撮像素子を有し、
前記電極パッドがバンプボンディングで外部接続されて成る
ことを特徴とする固体撮像装置。
【請求項９】
前記固体撮像素子は、撮像面を有する撮像チップ全体が円筒面状に湾曲されて成る
ことを特徴とする請求項８記載の固体撮像装置。
【請求項１０】
固体撮像素子の少なくとも撮像面を円筒面状に湾曲し、電極パッドを湾曲されない方向に沿って配列する工程を有する
ことを特徴とする固体撮像装置の製造方法。
【請求項１１】
固体撮像素子の少なくとも撮像面を円筒面状に湾曲し、電極パッドを湾曲されない方向に沿って配列する工程と、
前記固体撮像素子をパッケージに収容する工程と、
前記固体撮像素子の電極パッドと前記パッケージ側の電極パッドとを電気的に接続する工程とを有する
ことを特徴とする固体撮像装置の製造方法。
【請求項１２】
固体撮像素子の少なくとも撮像面を円筒面状に湾曲し、電極パッドを湾曲されない方向に沿って配列する工程と、
前記電極パッドをＴＡＢボンディングで外部接続する工程とを有する
ことを特徴とする固体撮像装置の製造方法。
【手続補正３】
【補正対象書類名】明細書
【補正対象項目名】０００１
【補正方法】変更
【補正の内容】
【０００１】
【発明の属する技術分野】
本発明は、固体撮像素子、この固体撮像素子を備えた固体撮像装置及び固体撮像装置の製造方法に関する。
【手続補正４】
【補正対象書類名】明細書
【補正対象項目名】０００４
【補正方法】変更
【補正の内容】
【０００４】
一般に、結像レンズで被写体を結像させた場合、像面湾曲と呼ばれるレンズ収差現象によって、撮像面の中心部と周辺部において焦点位置のずれが発生する。即ち、図１４に示すように、固体撮像素子１３４上に、結像レンズ１３２と絞り１３１を備えた結像光学系１３３を配置した構成において、撮像面の中心部に焦点を合わせると、周辺部では空中で焦点を結ぶという不具合が生じる。その結果、画像の中心部と周辺部とで画質が不均一になるなど、撮像特性の劣化を招くことになる。
【手続補正５】
【補正対象書類名】明細書
【補正対象項目名】００１２
【補正方法】変更
【補正の内容】
【００１２】
本発明は、上述の点に鑑み、撮像面を円筒面状に湾曲した固体撮像素子の電極パッドへの電気的接続を安定して行えるようにし、品質の安定化、歩留りの向上を図った固体撮像素子、この固体撮像素子を備えた固体撮像装置及び固体撮像装置の製造方法を提供するものである。
【手続補正６】
【補正対象書類名】明細書
【補正対象項目名】００１５
【補正方法】変更
【補正の内容】
【００１５】
本発明に係る固体撮像装置は、少なくとも撮像面が円筒面状に湾曲され、電極パッドが湾曲されない方向に沿って配列された固体撮像素子を備え、この電極パッドに電気的接続がなされた構成とする。
本発明の固体撮像装置においては、固体撮像素子の電極パッドが湾曲されない方向に沿って配列されるので、各電極パッドの高さ位置、傾斜角度が同じになり、各電極パッドに対して安定した電気的接続が可能になる。従って、この種の固体撮像装置の高品質化、高歩留り化が可能になる。
【手続補正７】
【補正対象書類名】明細書
【補正対象項目名】００１６
【補正方法】変更
【補正の内容】
【００１６】
本発明に係る固体撮像装置の製造方法は、固体撮像素子の少なくとも撮像面を円筒面状に湾曲し、電極パッドを湾曲されない方向に沿って配列する工程を有する。
本発明に係る固体撮像装置の製造方法は、固体撮像素子の少なくとも撮像面を円筒面状に湾曲し、電極パッドを湾曲されない方向に沿って配列する工程と、固体撮像素子をパッケ−ジに収容する工程と、固体撮像素子の電極パッドとパッケージ側の電極パッドとを電気的に接続する工程とを有する。
本発明に係る固体撮像装置の製造方法は、固体撮像素子の少なくとも撮像面を円筒面状に湾曲し、電極パッドを湾曲されない方向に沿って配列する工程と、この電極パッドをＴＡＢボンディングで外部接続する工程とを有する。
本発明の固体撮像装置の製造方法においては、固体撮像素子の電極パッドを湾曲されない方向に沿って配列する工程を有するので、各電極パッドの高さ位置、傾斜角度を同じにすることができる。従って、その後の、固体撮像素子をパッケ−ジに収容して固体撮像素子の電極パッドとパッケージ側の電極パッドとの電気的接続工程、あるいはＴＡＢボンディングで外部接続する工程において、固体撮像素子の電極パッドに対して安定した電気的接続ができる。
【手続補正８】
【補正対象書類名】明細書
【補正対象項目名】００１８
【補正方法】変更
【補正の内容】
【００１８】
図１〜図３は、本発明に係る固体撮像装置及びその製造方法の一実施の形態を示す。本実施の形態に係る固体撮像装置１は、撮像面３を有し少なくとも撮像面３が円筒面状に湾曲した固体撮像素子２と、この固体撮像素子２を収容したパッケージ４とから構成される。本例の固体撮像素子２は、長方形をなす撮像チップの全体を長辺方向に沿って円筒面状に湾曲して構成される。この固体撮像素子２は、結像光学系で発生するレンズ収差（像面湾曲）を補正するように、所要の曲率の円筒面状に湾曲され、特に、複数の例えばＡｌによる電極パッド５が湾曲されない方向、即ち短辺方向に沿って配列されて成る。電極パッド５は撮像面３を挟んで両側に配置される。
【手続補正９】
【補正対象書類名】明細書
【補正対象項目名】００２６
【補正方法】変更
【補正の内容】
【００２６】
図４及び図５は、本発明に係る固体撮像装置及びその製造方法の他の実施の形態を示す。本実施の形態に係る固体撮像装置１１は、長方形の撮像チップに対して撮像面３を有する領域部分を長辺方向に沿って円筒面状に湾曲し、撮像面３から外れた両側領域１３〔１３Ａ，１３Ｂ〕を平面状に形成し、この領域１３Ａ，１３Ｂ上に湾曲されない方向に沿って電極パッド５を配列して構成した固体撮像素子１２を有して成る。パッケージ４は、その底面４ａが上記固体撮像素子１２の形状に対応するように、湾曲部１４とその両側の平坦部１５〔１５Ａ，１５Ｂ〕とを有した形状に形成され、段差部６Ａ，６Ｂの上面に電極パッド７が配列されて成る。その他の構成は、前述の図１〜図３と同様であるので重複説明を省略する。
【手続補正１０】
【補正対象書類名】明細書
【補正対象項目名】００２８
【補正方法】変更
【補正の内容】
【００２８】
図７は、本発明に係る固体撮像装置及びその製造方法の他の実施の形態を示す。本実施の形態に係る固体撮像装置１７は、図１〜図３と同様の撮像チップ全体が湾曲した固体撮像素子２を有し、パッケージ４の電極パッド７を固体撮像素子２の電極パッド５と同じ傾斜角度θで形成して構成される。その他の構成は、前述の図１〜図３と同様であるので重複説明を省略する。
【手続補正１１】
【補正対象書類名】明細書
【補正対象項目名】００３３
【補正方法】変更
【補正の内容】
【００３３】
本発明に係る固体撮像装置によれば、湾曲しない方向に電極パッドをレイアウトした上記固体撮像素子を備えることにより、レンズ収差（像面湾曲）の補正を可能にしたこの種の固体撮像装置の品質の安定化、歩留りの向上を図ることができる。また、レンズ収差（像面湾曲）を補正することができ、撮像カメラに適用したときの結像光学系の設計を容易にする。
本発明に係る固体撮像装置の製造方法によれば、湾曲しない方向に電極パッドを配列するようにして固体撮像素子を形成するので、この電極パッドに対する電気的接続、いわゆるボンディング工程において、安定したボンディングを行うことができる。従って、レンズ収差（像面湾曲）の補正を可能にしたこの種の固体撮像装置を安定した高品質で、かつ歩留りのよく製造することができる。
【手続補正１２】
【補正対象書類名】明細書
【補正対象項目名】符号の説明
【補正方法】変更
【補正の内容】
【符号の説明】
１，１１，１７，２１，４１，４５，４７・・固体撮像装置、２，１２，２５，４４・・固体撮像素子、３，２４・・撮像面、４，２３・・パッケージ、８，３２・・Ａｕ細線、５，７，２７，３１・・電極パッド、２６・・透明ガラスカバー、４２・・保持部材、４９・・連通孔、１３１・・絞り、１３２・・結像レンズ、１３３・・結像光学系、１３４・・固体撮像素子
【手続補正１３】
【補正対象書類名】図面
【補正対象項目名】図１４
【補正方法】変更
【補正の内容】
【図１４】
2004104259.tif 000001